(57)【要約】【課題】            従来、一本のループ成形体を用いて二つのループを形成する構成のファスナー部材にあって、ループ成形体の一部に、ベースの嵌装部へ嵌着固定される嵌め付け部を具備させることについて、ループ成形体を損傷することなく、位置を正確にし、また、見栄えも良好とできることとし、加えて、その嵌め付けの方向性も誤ることがないものとしたファスナー部材は存在していなかったという点である。【解決手段】        両端に各々本体に形成された受部へ挿し込まれる挿し込み部を一体的に備えたループ成形体を有し、そのループ成形体の一部に本体に設けられた嵌装部へ嵌着固定される嵌め付け部をインサート成形によって一体的に備えていることとする。【選択図】          図１
2013172879.tif 000002
【特許請求の範囲】
【請求項１】
両端に各々本体に形成された受部へ挿し込まれる挿し込み部を一体的に備えたループ成形体を有し、そのループ成形体の一部に本体に設けられた嵌装部へ嵌着固定される嵌め付け部をインサート成形によって一体的に備えていることを特徴とするファスナー部材。
【請求項２】
前記したインサート成形は嵌め付け部の成形型枠にセットしたループ成形体に対し、合成樹脂、金属等の可塑性材を流入して固化し一体化した構成であることを特徴とする請求項１に記載のファスナー部材。
【請求項３】
前記嵌め付け部はループ成形体の芯線方向に沿った両端部の形状を異ならしめてあることを特徴とする請求項１または２に記載のファスナー部材。
【請求項４】
前記した両端部の形状は一方を台形状とし、他方は二隅を直角とした角型としてあることを特徴とする請求項３に記載のファスナー部材。
【請求項５】
前記した嵌装部は本体を構成するベースに一体に形成され、本体はそのベースに対して蓋体をピンを介在させた圧入組立により一体化したものであることを特徴とする請求項１から３のうち１つに記載のファスナー部材。
【請求項６】
前記したループ成形体にアンテナ用材を付設し、そのアンテナ用材と対応する個別情報を入力したＩＣチップを搭載していることを特徴とする請求項１から５のうち１つに記載のファスナー部材。
【発明の詳細な説明】
【技術分野】
【０００１】
本発明はファスナー部材、主としてブランドタグに関し、ブランドが表示された本体から一本のループ成形体の両端を導出させ、そのループ成形体の両端には各々挿し込み部を一体に備え、その挿し込み部を本体の受部へ挿し込みロックして二つのループを成形する構成のファスナー部材に関する。
【背景技術】
【０００２】
従来、上記した構成のファスナー部材は知られているところであるが、従来は、一本のループ成形体の中程に装備される嵌め付け部の取り付けは、その嵌め付け部に形成された貫通孔に例えば糸等のループ成形体を挿通し、その後に貫通孔周域を接着剤で固化し、位置決めすることが行われていた。
【０００３】
しかしながら、その方法によると、どうしても糸等のループ成形体と嵌め付け部との間で、ループ成形体を引っ張る際に摩擦が生じ、時によっては糸をほつれさせてしまうことともなり、また、事後の接着剤の使用は外観を劣化させるものともなっており、その嵌め付け部の位置特定もずれが生じてしまうことともなっていた。
【０００４】
また、このファスナー部材は装着時の美感を考慮して二つの大きさの異なるループを形成するため、本体より導出されたループ成形体の各部分の長さは異なるものとされるが、嵌め付け部の形状が単なる直方体等の場合、その長さを異ならしめる方向性を誤って、本体のベースに設けられた嵌装部へ取り付けてしまう作業ミスも生じていた。
【先行技術文献】
【特許文献】
【０００５】
出願人は、本願発明に関して、先行する技術文献を調査したが、格別に本願発明と関連し、類似していると思われる文献は発見できなかった。
【発明の概要】
【発明が解決しようとする課題】
【０００６】
本発明が解決しようとする問題点は、従来、一本のループ成形体を用いて二つのループを形成する構成のファスナー部材にあって、ループ成形体の一部に、ベースの嵌装部へ嵌着固定される嵌め付け部を具備させることについて、ループ成形体を損傷することなく、位置を正確にし、また、見栄えも良好とできることとし、加えて、その嵌め付けの方向性も誤ることがないものとしたファスナー部材は存在していなかったという点である。
【課題を解決するための手段】
【０００７】
上記した問題点を解決するために、本発明に係るファスナー部材は、両端に各々本体に形成された受部へ挿し込まれる挿し込み部を一体的に備えたループ成形体を有し、そのループ成形体の一部に本体に設けられた嵌装部へ嵌着固定される嵌め付け部をインサート成形によって一体的に備えていることを特徴とし、前記したインサート成形は嵌め付け部の成形型枠にセットしたループ成形体に対し、合成樹脂、金属等の可塑性材を流入して固化し一体化した構成であることを特徴としている。
【０００８】
また、本発明に係るファスナー部材は、前記嵌め付け部はループ成形体の芯線方向に沿った両端部の形状を異ならしめてあることを特徴とし、前記した両端部の形状は一方を台形状とし、他方は二隅を直角とした角型としてあることを特徴としている。
【０００９】
さらに、本発明に係るファスナー部材は、前記した嵌装部は本体を構成するベースに一体に形成され、本体はそのベースに対して蓋体をピンを介在させた圧入組立により一体化したものであることを特徴とし、前記したループ成形体にアンテナ用材を付設し、そのアンテナ用材と対応する個別情報を入力したＩＣチップを搭載していることを特徴としている。
【発明の効果】
【００１０】
本発明に係るファスナー部材は上記のように構成されている。ループ成形体の一部に具備させる嵌め付け部は、ループ成形体を型にセットし、その上から合成樹脂や金属等の可塑性材を流し込んで成形し、ループ成形体と一体化するため、ループ成形体の引っ張り等の作業要素は不要となり、ループ成形体を損傷することもなく、接着剤を使用しないため外観が損なわれることもない。また、嵌め付け部はループ成形体の芯線方向に沿った両端部の形状を異ならしめてあるため、嵌装部への嵌め付け作業で方向性を誤ってしまうこともないものとなっている。
【図面の簡単な説明】
【００１１】
【図１】本発明の実施に使用されるループ成形体の斜視図である。
【図２】平面図である。
【図３】正面図である。
【図４】右側面図である。
【図５】本発明の実施に使用される本体のベースの斜視図である。
【図６】平面図である。
【図７】正面図である。
【図８】右側面図である。
【図９】図６中のＡ−Ａ線断面図である。
【図１０】図６中のＢ矢視拡大図である。
【図１１】図６中のＣ矢視拡大図である。
【図１２】本体を構成する蓋体の斜視図である。
【図１３】平面図である。
【図１４】正面図である。
【図１５】右側面図である。
【図１６】図１３中のＡ−Ａ線断面図である。
【図１７】ベースの変形例を示す斜視図である。
【発明を実施するための形態】
【００１２】
図面として示し、実施例で説明したように構成したことで実現した。
【実施例１】
【００１３】
次に、本発明の好ましい実施の例を図面を参照して説明する。図中１は本実施例に用いられるループ成形体を示し、この実施例にあっては糸を想定している。このループ成形体１の両端には各々合成樹脂で成形された挿し込み部２、２が一体的に固着されているもので、この挿し込み部２、２には後述する本体に形成される受部に設けられた係止部と係合して引き抜きが防止される係合部３、３が形成されているもので、挿し込み部２、２の先端は受部への挿入をガイドするため先細りの弧面状となっている。
【００１４】
このループ成形体１の一部には後述する、本体を構成するベースに設けられた嵌装部へ嵌着される嵌め付け部４が具備されている。この嵌め付け部４は挿し込み部２、２によって形成されるループの大きさ（径）を異なるものとするため、一方の挿し込み部２寄り、本実施例ではループ成形体１の３分の１程度の長さ位置に具備されている。
【００１５】
この実施例で嵌め付け部４は合成樹脂で形成されており、型により成形されるが、ループ成形体１である糸をその型にセットし、溶解された合成樹脂を型に流し込むことで、糸との一体化を図っている。この手段を用いることによって、従前のように糸を予め成形された嵌め付け部の貫通孔へ挿し込み、引っ張ったり、押し込んだりの作業がなくなり、糸と嵌め付け部との間に摩擦が生じることもなく、糸がほつれてしまうという損傷も生じることもなく、糸の所望する位置に正確に嵌め付け部４を具備させることができる。
【００１６】
また、この嵌め付け部４は、本実施例にあって、ループ成形体１の芯線方向に沿った一方の端部を略台形とし、他方を、角隅を略直角とした角型として形状を異なるものとしてあり、後述するベースの嵌装部の形状と適合させることで嵌着の方向性を誤ってしまうことがないものとしてある。
【００１７】
さらに、ループ成形体１には、格別に図示しないが、金属製の芯線を入れたり、糸の場合、金属線を撚り込む等して付設し、アンテナとして作用させることもできる。このアンテナは、本実施例に係るファスナー部材が装着される製品の個別情報が入力されたＩＣチップを、このファスナー部材の一部に搭載することで、該製品の流通や保存、格納等の状況を管理することを可能とする。
【００１８】
一方、図中５は、前記したループ成形体１が組み付けられる本体を形成するベースである。このベース５は合成樹脂で成形された長方形をしており、その外周縁には立壁５ａが設けられている。このベース５の内面略中央には、長手方向に沿った左右縁の一方寄りに、前記した嵌め付け部４が圧入嵌装される嵌装部６が設けられている。
【００１９】
この嵌装部６は相対向する一対の略コ字状をした受部材６ａ、６ｂとより構成されている。受部材６ａは前記した嵌め付け部４の角型とした端部を受けるため、コーナーを直角状としてあり、受部材６ｂは台形状をした端部を受けるためコーナーを拡開した構成としてある。このため、嵌め付け部４を嵌装部６へ圧入する際に、方向が誤っていると組み付けることはできず、嵌め付け部４の組み付け方向性を誤ってしまう事故は発生しえない。
【００２０】
また、この嵌装部６と直線上位置に、ベース５の短手立壁５ａの内側にはループ成形体１を外部へ導出するためのガイド部７、７が設けられている。このガイド部７、７は一方を小サイズとした対向する支持片で構成され、この支持片は遊端を外側へ向けて屈曲させて拡開状態とし、ループ成形体１の導出を行ない易くしている。７ａは立壁５ａの上面に形成されたループ成形体１を位置決めし、受け、後述する蓋体の切り欠きと合わせ、透孔を形成する切り欠き凹部である。
【００２１】
さらに、前記したガイド部７、７に隣接して、短手立壁５ａの内側には内方に向かって先端を幅狭とした挿し込み部２の受部８、８が設けられている。この受部８、８は、後述する蓋体に形成された受部と合わせて、挿し込み部２と対応する高さを保持することとなり、その内方先端８ａが係合部３を受け、抜け止めロックする係止部となる。また、短手立壁５ａには、蓋体と合わせて挿し込み部２の挿し込みを受け入れる透孔を形成する切り欠き８ｂが形成されている。
【００２２】
そして、このベース５には後述する蓋体のピンを圧嵌入させて、一体化し、本体を形成するためのピン受穴９、９‥が裏面に二箇所及び立壁５ａに沿って八箇所形成されている。
【００２３】
そして、図中１０は前記したベース５に組み付けられ、本体を構成する蓋体である。この蓋体１０も合成樹脂で成形され、ベース５と同サイズの長方形となっており、周縁にはベース５の立壁５ａと当接して本体の側壁を構成する立壁１０ａが設けられている。この蓋体１０の短手立壁１０ａにはベース５の切り欠き凹部７ａと対応してループ成形体１の導出のための透孔を構成する切り欠き凹部１１、１１が形成されている。
【００２４】
前記した切り欠き凹部１１、１１に隣接して、ベース５の受部８と対応して高さを確保するための受部１２、１２が形成され、この受部１２、１２はベース５の受部８、８と合同形をなしている。また、短手立壁１０ａには挿し込み部２を挿し込むため、ベース５の切り欠き８ｂと対応して透孔を形成する切り欠き１２ａ、１２ａが形成されている。
【００２５】
また、図中１３は挿し込み部２の挿し込み奥行きを規制するストッパであり、受部１２の先端間及び切り欠き１２ａと直線上に配備され、ベース５のストッパ１３ａ、１３ａとその頂端を当接させて壁体を構成するものとなっている。
【００２６】
さらに、この蓋体１０には前記したベース５のピン受穴９、９‥に圧嵌入されて一体化され本体を構成するためのピン１４、１４‥がピン受穴９、９‥と対応する位置に設けられている。この蓋体１０とベース５との組み立ては立壁５ａ、１０ａの存在により、本体を直方体のものとすることとなる。
【００２７】
嵌装部６にループ成形体１の嵌め付け部４を組み付け、ガイド部７、７からループ成形体１の各々の両端を外部へ導出させた状態で蓋体１０をベース５にピン圧入によって組み付ける。使用状態はループ成形体１の導出された一方を例えば製品である衣服のボタン孔へ通して、その導出側となる受部８、１２位置へ挿し込み部２を挿し込みロックする。他方のループ成形体１の導出部には価格等を表示したタグを通し、同様に挿し込み部２を挿し込みロックしてタグを吊持する形態となる。
【００２８】
この実施例では本体の形態を直方体とすることとしているが、勿論これにこだわるものではなく、図１７として示す円板状のベース１５とそれに対応する蓋体を用いれば本体を円盤状のものとすることもできる。尚、このベース１５にはベース５と同一符号を付して各パートの詳細な説明は省略する。
【産業上の利用可能性】
【００２９】
本実施例に係るファスナー部材は上記のように構成されている。この実施例ではループ成形体１として糸を想定しているが、これに限らず、延伸加工したプラスチックやエラストマー等の他の素材を用いることもでき、その形態も断面円形に限らず、帯状や角状とすることも可能で、その場合、本体のガイド部や受部に形成される透孔の形状を変更すればよい。
【００３０】
また、嵌め付け部４も一方の端部を台形とすることで形状を異ならしめているが、これもこれに限らず、球面状等の他の形状とすることも可能で、嵌め付け部４の嵌着時の方向性が誤って実行されないように強制するものであればよい。
【符号の説明】
【００３１】
１    ループ成形体
２    挿し込み部
３    係合部
４    嵌め付け部
５    ベース
５ａ  立壁
６    嵌装部
６ａ  受部材
６ｂ  受部材
７    ガイド部
７ａ  切り欠き凹部
８    受部
８ａ  先端
８ｂ  切り欠き
９    ピン受穴
１０  蓋体
１０ａ  立壁
１１  切り欠き凹部
１２  受部
１３  ストッパ
１３ａ  ストッパ
１４  ピン
１５  ベース
【図１】
2013172879.tif 000003
【図２】
2013172879.tif 000004
【図３】
2013172879.tif 000005
【図４】
2013172879.tif 000006
【図５】
2013172879.tif 000007
【図６】
2013172879.tif 000008
【図７】
2013172879.tif 000009
【図８】
2013172879.tif 000010
【図９】
2013172879.tif 000011
【図１０】
2013172879.tif 000012
【図１１】
2013172879.tif 000013
【図１２】
2013172879.tif 000014
【図１３】
2013172879.tif 000015
【図１４】
2013172879.tif 000016
【図１５】
2013172879.tif 000017
【図１６】
2013172879.tif 000018
【図１７】
2013172879.tif 000019